(57)【特許請求の範囲】
【請求項１】
重ね合わせて器体の外郭を構成するケースと、
器体内部の主回路導電部を他の極の導体電部と絶縁する極間絶縁壁とを備えた回路遮断器であって、
前記ケースの重ね合わせ面に器体の内外を貫通する貫通部を形成するとともに該極間絶縁壁に前記貫通部に係合する係合部を形成し、
前記ケースを重ね合わせたときに、前記係合部が貫通部に挟み込まれることを特徴とする回路遮断器。
【請求項２】
前記係合部に、前記貫通部を器体の前面側から覆う覆い部を設けて構成したことを特徴とする請求項１記載の回路遮断器。
【請求項３】
前記係合部は、極間絶縁壁本体と弾性部を介して設けられ、前記貫通部に係合部が係合した状態において、前記弾性部により前記極間絶縁壁本体が所定の方向に付勢されるよう構成したことを特徴とする請求項２記載の回路遮断器。
【発明の詳細な説明】
【技術分野】
【０００１】
本発明は回路遮断器の構造に係り、特に、器体の外郭を構成するケースを、配線用遮断器と漏電遮断器とにおいて共用し得る回路遮断器の内部構造に関する。
【背景技術】
【０００２】
回路遮断器には、電路に流れる過電流や短絡電流を検出し、該過電流や短絡電流の大きさが予め定められた所定の大きさに達した場合には電路を遮断し配線を保護する役割を果たす配線用遮断器と、該配線用遮断器の機能に加えて、電路に発生する漏電電流を検出し、漏電電流の大きさが予め定めされた所定の大きさに達した場合に電路を遮断する漏電遮断機能を備えた漏電遮断器が一般に存在する。
【０００３】
漏電遮断機能を回路遮断器の器体内部に設けた漏電遮断器においては、器体の前面側に設けられた操作ハンドルの近辺に、漏電遮断機能が正常に動作するか否かを確認するためのテストボタン、漏電遮断動作が行われたことが外部から視認するための漏電表示ボタンが設けられる。
【０００４】
テストボタン、漏電表示ボタンは、器体の内部から外部に貫通突出されて設けられるため、通常、漏電遮断器の外郭を構成する器体前面側には、これらのボタンを配置するための配置部が構成される。特許文献１は住宅用分電盤の分岐回路遮断器のひとつとして用いられる漏電遮断器の内部構造図を示したものであり、特許文献１の図１には、テストボタンを配置した器体の分解図が開示されている。器体の長手方向左右に分割形成された器体の操作ハンドル近辺には、前面側に突出形成されたボタンの配置部が夫々形成されている。
【０００５】
また、特許文献２には、特許文献１の漏電遮断器と同様、住宅用分電盤の分岐回路遮断器として用いられ、外郭の大きさを前記漏電遮断器と略同一とした配線用遮断器の内部構造図が示されている。（特許文献２の図２）この場合においては、器体にはテストボタンは配置されず、長手方向において分割された左右の器体前面側は面一に構成されている。
【０００６】
このように、配線用遮断器の外郭を構成する器体と、漏電遮断器の外郭を構成する器体は、別種の構成部品にて設けられるため、部品の種類が増加することになるが、これらの器体を共用することは従来行われていなかった。仮に漏電遮断器の器体を配線用遮断器に用いて共用化を図る場合には、前記テストボタンが配線用遮断器においては不要であるため、前面側からは視認できないように、テストボタンの配置部をシールなどを貼り付けて隠すことが想定される。
【先行技術文献】
【特許文献】
【０００７】
【特許文献１】特開２００３−２７２５０９号公報（図１）
【特許文献２】特開２００２−５６７６３号公報（図２）
【発明の概要】
【発明が解決しようとする課題】
【０００８】
回路遮断器の器体の前面側にシールなどを貼り付ける場合には、シールそのものの部品が増加することに加え、貼付作業工程において貼付位置や、貼付角度の確認・修正作業が生じ、組立て工数が増加することが懸念される。また、組立て後において、シールに破れが生じた場合、器体の外部から内部に不用な異物が侵入する原因となり、回路遮断器の使用に当たり信頼性が低下するおそれがあった。
【０００９】
また、配線用遮断器の器体を用いて共用化を図る場合には、前記テストボタンの配置部を後から形成する必要が生じ、共用化するメリット（部品点数削減などによる効果）が相殺されてしまうことが想定される。
【００１０】
そこで、本発明は、上記課題に鑑み、漏電遮断器の外郭を構成する器体を配線用遮断器と共用する場合において、漏電遮断器に設けられるテストボタン穴や漏電表示ボタン穴をシールを用いることなく塞ぐことができ、なおかつ組立てに際しては細かな位置決めや角度調整が不要な器体共用化構造を備えた回路遮断器を提供することを目的とする。
【課題を解決するための手段】
【００１１】
本発明に係る回路遮断器は、上述の課題を解決すべく構成されたもので、請求項１記載の回路遮断器は、重ね合わせて器体の外郭を構成するケースと、器体内部の主回路導電部を他の極の導体電部と絶縁する極間絶縁壁とを備えた回路遮断器であって、前記ケースの重ね合わせ面に器体の内外を貫通する貫通部を形成するとともに該極間絶縁壁に前記貫通部に係合する係合部を形成し、前記ケースを重ね合わせたときに、前記係合部が貫通部に挟み込まれることを特徴として構成したものである。
【００１２】
かかる構成によれば、器体内部に配置される極間絶縁壁に設けられた係合部が貫通部に係合するから、該貫通部を塞ぐ役割を果たし、貫通部を使用しない場合にシールを用いることなく塞ぐことができる。また、ケースを重ね合わせることにより、係合部が挟み込まれて貫通部に係合するから、組立てに際しては細かな位置決めや角度調整が不要である回路遮断器を提供できる。
【００１３】
また、請求項２記載の発明は、前記係合部に、前記貫通部を器体の前面側から覆う覆い部を設けて構成したものである。
【００１４】
請求項２記載の発明によれば、覆い部によって、貫通部が前面側に露出せず、組立て後において貫通部からゴミや埃などの不用な異物が器体の内部に侵入することがない。
【００１５】
また、請求項３記載の発明は、前記係合部は、極間絶縁壁本体と弾性部を介して設けられ、前記貫通部に係合部が係合した状態において、前記弾性部により前記極間絶縁壁本体が所定の方向に付勢されるよう構成したものである。
【００１６】
請求項３記載の発明によれば、前記貫通部に係合部を係合させるとともに極間絶縁壁を所定位置に配置した場合に、前記弾性部に応力が印加され係合部と極間絶縁壁本体が互いに引き合うような配置としているため、極間絶縁壁が所定の方向に付勢されて、器体内での位置が一定の位置に保持される。このため、極間絶縁壁を一定の位置に保持する機能と、貫通部の前面側を覆い隠す機能を同居させつつ、前面側から不用意な力が加えられたとしても、係合部の前面側からの力は、貫通部が形成された器体に受け止められ内部には及ばない信頼性の高い回路遮断器を提供することができる。
【発明の効果】
【００１７】
本発明によれば、漏電遮断器の外郭を構成する器体を配線用遮断器と共用する場合において、漏電遮断器に設けられるテストボタン穴や漏電表示ボタン穴をシールを用いることなく塞ぐことができ、なおかつ組立てに際しては細かな位置決めや角度調整が不要な器体共用化構造を備えた回路遮断器を提供することができる。
【図面の簡単な説明】
【００１８】
【図１】第１の実施形態を示す回路遮断器の負荷端子側からの斜視図を示す。
【図２】同実施形態に係る回路遮断器の電源端子側からの斜視図を示す。
【図３】同実施形態に係る器体の第２のケースを取り外した状態の斜視図を示す。
【図４】同実施形態に係る器体のケースのみを重ね合わせる状態の斜視図を示す。
【図５】同実施形態に係る器体及び極間絶縁壁を重ね合わせる状態の斜視図を示す。
【図６】別形態の極間絶縁壁の斜視図を示す。
【図７】別形態の極間絶縁壁の斜視図を示す。
【図８】従来例における回路遮断器を示す。
【図９】従来例における回路遮断器を示す。
【発明を実施するための形態】
【００１９】
次に本発明に係る回路遮断器の実施形態を図１乃至図７を用いて詳細に説明する。
【００２０】
（第１の実施形態）
（回路遮断器の外観構成）
本発明の回路遮断器１は、分電盤の分岐回路遮断器として用いられる２極回路遮断器である。該回路遮断器１は、単相三線式の回路又は単相二線式の回路に介在して電源を負荷側に供給する。
【００２１】
回路遮断器１の電源側と負荷側を結ぶ方向を長手方向とした場合に、該長手方向に分割された第一のケース１０１と第二のケース１０２とを幅方向両側から重ね合わせて、その外郭、即ち器体が構成される。回路遮断器１を構成する各部品は、これらの分割された第一のケース１０１及び第二のケース１０２に挟み込まれるように収納される。
【００２２】
以降、長手方向において、図中１０５及び１０６で示された電線挿入孔が設けられた側を負荷側とし、長手方向において電線挿入孔１０５、１０６の反対側を電源側とし、回路遮断器１を操作する操作ハンドル１０３が設けられた側を前面側とし、回路遮断器を取付固定する取付板に取り付けられる側を底面側とし、左右の電線挿入孔１０５、１０６を結ぶ方向を幅方向として説明を行う。
【００２３】
（回路遮断器の内部構成）
図１乃至図３に示した回路遮断器１は、漏電遮断器の形態を示している。該回路遮断器１の器体内部には、電源側に設けられた各極の電源側端子（１０５ａ，１０５ｂ）、負荷側に設けられた各極の負荷側端子１０４（他極の負荷側端子は図示しない）、これら端子と接続される各極の主回路導電部１１３、該主回路導電部１１３に介在し主回路導電部１１３に設けられた接点を接触／離反させる接点開閉機構部１１２、主回路導電部１１３に過電流などの異常電流が流れたときには前記接点開閉機構に作用して回路を切動作させる自動遮断機構（図示しない）、前記各極の主回路導電部１１３が貫装される零相変流器（ＺＣＴ）１１０，該ＺＣＴからの出力信号を受けて回路に流れる漏電電流の大きさを検出する検知回路１１４、漏電電流の大きさが所定の大きさになった場合に前記検知回路１１４から動作信号を受けて前記接点開閉機構に作用して回路を切動作させる漏電遮断機構（トリップコイル）１１１等が設けられる。各極の間には、極間絶縁壁Ａ（１０９Ａ）が配置されており、夫々の極の絶縁が保たれている。
【００２４】
また、接点開閉機構部１１２は、リンク機構によって操作ハンドル１０３と連結されており、自動遮断機構による動作のほか操作ハンドル１０３によって器体の外部から手動で入切操作することができる。
【００２５】
（テストボタン）
器体の前面側には、前記検知回路１１４及びトリップコイル１１１の動作を器体外部から手動で確認するためのテストボタン１０７が設けられている。該テストボタン１０７は、一部が器体外部に突出しており、器体外部から指などで押圧操作できる。テストボタン１０７の底面側には検知回路１１４に接続された接点回路が設けられており、テストボタン１０７を押圧下場合に接点回路が閉じることにより、前記検知回路１１４が駆動する構成となっている。
【００２６】
（極間絶縁壁Ａ）
回路遮断器１の内部においては、前記極間絶縁壁Ａ（１０９Ａ）によって互いの極間が絶縁されている。該極間絶縁壁Ａ（１０９Ａ）は、電源側端子側１０５から負荷側端子１０４側に亘って回路遮断器の長手方向に略平面状に器体内に配置されて極間を絶縁している。また、極間絶縁壁Ａ（１０９Ａ）の側面には、前記検知回路１１４を構成するプリント基板が配設され、前面側には、前記テストボタンを保持するテストボタン保持部１０９Ａ１及びテストボタン１０７の底面側に設けられた検知回路１１４に接続される接点回路配置部が形成されている。
【００２７】
（ケースの構成）
第一のケース１０１と第二のケース１０２とは、図４に示したように、重ね合わされる構成となっている。前記テストボタン１０７を器体の外部に一部が突出するように配置することができるよう、器体の重ね合わせ面には、器体の前面側の一部において、前面側から底面側に貫通する貫通部１０８が形成される。貫通部１０８の周囲には、テストボタン１０７を囲繞するようにテストボタン配置部（１０８Ａ，１０８Ｂ）が形成される。第一のケース１０１と第二のケース１０２とを重ね合わせたときには、テストボタン１０７は器体の前面側と底面側と結ぶ方向に移動が可能なように、前記テストボタン配置部に挟み込まれる形で配置される。
【００２８】
（回路遮断器の形態変化）
さて、漏電遮断器の形態をとる回路遮断器１を、配線用遮断器の形態に変化させる場合について説明を行う。第一のケース１０１と第二のケース１０２を利用しつつ、配線用遮断器を形成する場合には、漏電遮断器で設けていた前記ＺＣＴ１１０、トリップコイル１１１、検知回路１１４、テストボタン１０７は使用しない。また、前記極間絶縁壁Ａ（１０９Ａ）に代えて、配線用遮断器用の極間絶縁壁Ｂ（１０９Ｂ）を用いて配線用遮断器を構成する。
【００２９】
（極間絶縁壁Ｂ）
極間絶縁壁Ｂ（１０９Ｂ）は、互いの極間が絶縁し、電源側端子側１０５から負荷側端子１０４側に亘って回路遮断器の長手方向に略平面状に器体内に配置されて極間を絶縁している点は、極間絶縁壁Ａ（１０９Ａ）と同様である。
【００３０】
一方、前記極間絶縁壁Ａにおいて検知回路１１４を構成するプリント基板が配置される側面部分のスペースは、極間絶縁壁Ｂにおいては、プリント基板が配設されぬよう、前面側から底面側に亘って突条形成されたリブが設けられる。漏電遮断器と配線用遮断器で組立て誤りが発生しないようにするためである。
【００３１】
また、極間絶縁壁Ａにおける前記テストボタン保持部１０９Ａ１のスペースは、極間絶縁壁Ｂにおいては、前記ケース１及びケース２に設けられた貫通部１０８に係合する係合部１０９Ｂ１が形成されている。該係合部１０２Ｂ１は、貫通部１０８に嵌まり込む嵌まり込み部１０９Ｂ３と、器体の前面側におけるテストボタン配置部Ａ、Ｂを覆う覆い部１０９Ｂ２から構成されている。
【００３２】
該係合部１０２Ｂ１の嵌まり込み部１０９Ｂ３を貫通部１０８に嵌めこみ、前記ケース１及びケース２を重ね合わせたときには、前記係合部１０９Ｂ１は該ケース１及びケース２に挟み込まれ、同時に、テストボタン配置部Ａ、Ｂは、覆い部１０９Ｂ２によって、その前面側が覆われて、前面側から貫通穴が隠蔽される。
【００３３】
（弾性部）
また、係合部１０９Ｂ１は、極間絶縁壁Ｂ（１０９Ｂ）の一部を、電源側−負荷側の方向に延出して形成した弾性部１０９Ｂ４の一端に形成しており、前面側−底面側の方向に弾性的に変位が可能である。
【００３４】
極間絶縁壁Ｂ（１０９Ｂ）の本体部分１０９Ｂ５の器体内部での配置関係は、器体内部に設けられた所定のリブによって定められ、位置が固定される。本実施形態においては、正規に配置された前記本体部分１０９Ｂ５の底面側から、器体に形成された前記テストボタン配置部１０８Ａ，Ｂの前面側の距離は、極間絶縁壁１０９Ｂの部品単体における本体部分１０９Ｂ５の底面側から覆い部１０９Ｂ２の底面側の距離よりも大きくなるよう構成されている。
【００３５】
器体内に極間絶縁壁１０９Ｂを配置するときは、前記弾性部１０９Ｂ４を前面側に広げるように配置する。即ち、正規に配置された極間絶縁壁１０９Ｂは、弾性部１０９Ｂ４によって、係合部１０９Ｂ１と極間絶縁壁本体１０９Ｂ５とが互いに引き合うように配置され、該係合部１０９Ｂ１がテストボタン配置部の前面側に係合されることにより、極間絶縁壁の本体部分１０９Ｂ５が所定の方向、前面側に常に付勢される。このため、共通接地導体１０９Ｂの器体内での位置が一定の位置にがたつくことなく保持される。
【００３６】
また、覆い部１０９Ｂ２を器体外部から誤って押圧された場合などにおいては、前記テストボタン配置部Ａ、Ｂと係合部１０９Ｂ１の底面側が係合しているから、押圧力は極間絶縁壁１０９Ｂの本体部分１０９Ｂ５には伝わらわない。また、係合部が押圧されるだけでなく、引っ張られる場合においても、弾性部１０９Ｂ４が器体に係合することにより、引っ張られる力が抑制され極間絶縁壁１０９Ｂの本体部分１０９Ｂ５には引っ張られる力が伝わらわない。
【００３７】
このように、回路遮断器１のケースを漏電遮断器と配線用遮断器において共用することが可能となる回路遮断器を提供することができる。また、従来配線用遮断器において必要としていたシールに代えて、前記覆い部１０９Ｂ２の部分にレーザ印字を施し、銘板に記載する内容などを記載することも可能である。
【符号の説明】
【００３８】
１  回路遮断器
１０１  第一のケース
１０２  第二のケース
１０３  操作ハンドル
１０４  負荷側端子
１０５  電源側端子
１０６  電線挿入孔
１０７  テストボタン
１０８  テストボタン配置部
１０９Ａ  極間絶縁壁Ａ
１０９Ａ１  テストボタン保持部
１０９Ｂ  極間絶縁壁Ｂ
１０９Ｂ１  係合部
１０９Ｂ２  覆い部
１０９Ｂ３  嵌まり込み部
１０９Ｂ４  弾性部
１０９Ｂ５  極間絶縁壁本体部分
【図１】
0005995269.tif 000002
【図２】
0005995269.tif 000003
【図３】
0005995269.tif 000004
【図４】
0005995269.tif 000005
【図５】
0005995269.tif 000006
【図６】
0005995269.tif 000007
【図７】
0005995269.tif 000008
【図８】
0005995269.tif 000009
【図９】
0005995269.tif 000010